(57)【特許請求の範囲】
【請求項１】
有底筒状のパイプスリーブと、該パイプスリーブの上端に固着される吸引子と、前記パイプスリーブ内に摺動可能に収容され、前記パイプスリーブの底部に形成された弁口を開閉する弁体を有するプランジャと、前記パイプスリーブに外嵌され、前記プランジャを前記吸引子に吸引するための電磁力を発生させる電磁コイルとを備え、前記パイプスリーブにおける前記電磁コイルのハウジングから突出した下端部が段部を介して細径部に絞られるとともに該細径部の側面に孔が形成されており、前記細径部に前記孔を覆う筒状のフィルタが前記段部に接触した状態で外嵌され、前記パイプスリーブにおける段部の上方の部位に環状の第１のシール部材が前記フィルタの上端面と前記ハウジングの底面とにより挟み込まれた状態で装着され、さらに前記細径部の先端側に環状の第２のシール部材が前記フィルタの下端面に接触した状態で外嵌されることを特徴とする電磁弁。
【請求項２】
前記段部及び細径部が複数個形成されるとともに前記複数個の細径部の外径が先端側に向かって順次小さくなっていることを特徴とする請求項１記載の電磁弁。
【請求項３】
前記吸引子の上端に前記ハウジングの上端を覆うキャップが一体的に形成されていることを特徴とする請求項１又は２記載の電磁弁。
【請求項４】
前記キャップの上端面が平坦であるとともに該上端面に取付用の凹部を設けたことを特徴とする請求項３記載の電磁弁。
【発明の詳細な説明】
【０００１】
【発明の属する技術分野】
本発明は電磁弁、特に可変容量圧縮機に用いて好適な電磁弁に関する。
【０００２】
【従来の技術】
従来から、可変容量圧縮機に用いられる電磁弁の一例として、特開昭６３−１４７９７８号公報に開示されているものがあり、図１３はその電磁弁を圧縮機に設けた場合の概要構成を示す断面図である。
【０００３】
図１３において、電磁弁１０は圧縮機のサイドプレート１５と１６の間に挾持され、電磁弁１０の本体１７は、Ｏリング１３，１４を介して圧縮機のプレート１５に配置され、本体１７には圧力導入孔１８と圧力流出孔１９が設けられている。圧力導入孔１８と圧力流出孔１９とを開閉するように弁体２６が設けられており、この弁体２６はプランジャ２０の先端にカシメ付されている。プランジャ２０は電磁コイル２１の内側に設けられたプランジャ管２３内に摺動可能に挿入されている。上記プランジャ２０と対向する位置には吸引子２４が配置されており、この吸引子２４も電磁コイル２１の内部に収納されると共に、プランジャ管２３に嵌入固着されている。
【０００４】
吸引子２４とプランジャ２０との間には、バネ２５が配設されており、このバネ２５によりプランジャ２０を吸引子２４から引き離す方向に付勢する。即ち、バネ２５の押圧力により弁体２６は圧力流出孔１９を閉じるよう構成されている。電磁コイル２１の外側には、鉄鋼製のハウジング２７が配設されている。ハウジング２７の上端には鉄鋼製のキャップ２８がカシメ結合され、このキャップ２８はサイドプレート１６内に嵌入固定されている。
【０００５】
さらに、電磁コイル２１の巻線の一端は、コネクタ２９と電気的に接続され、巻線の他端は図示しないコネクタと接続されている。なお、図１３は電磁コイル２１への通電が絶たれ、弁が閉止した状態を示している。
【０００６】
【発明が解決しようとする課題】
かかる従来の電磁弁においては、本体とプランジャ管が別体であるため、本体とプランジャとの同軸が得られ難く、弁体の片当りによる弁洩れや作動不具合が生じるおそれがあるという問題があった。
さらに、従来の電磁弁では本体とプランジャ管が別体であるため、コストが高くなるという問題があった。
【０００７】
また、従来の電磁弁では本体とプランジャ管とを別体で構成しているため、組立する場合に、プランジャのリフトと弁体のリフトにバラツキが生じ、吸引力の安定化と開弁流量の安定化を実現できないおそれがあり、可変容量圧縮機の能力が不足したり安定しないという問題があった。
【０００８】
本発明は上記のような問題に鑑みてなされたもので、その目的とするところは、本体とプランジャ管を一体的に構成した底付の深絞り成形によるパイプスリーブを用いることによって、弁洩れ及び作動不具合が生せず、信頼性や性能を向上させた電磁弁を提供することにある。
【０００９】
また、本発明はプランジャの吸引力と流量を正確に確保することができ、可変容量圧縮機の可変能力を安定的に得ることのできる電磁弁を提供することにある。
さらにまた、本発明は磁気特性を向上した電磁弁を提供すると共に、部品点数を低減した電磁弁を提供することにある。
【００１０】
【課題を解決するための手段】
前記の目的を達成すべく、本発明に係る電磁弁は、電磁コイルによりプランジャを吸引する電磁弁において、吸引子を嵌入固着しプランジャ管及び本体を一体的に構成したパイプスリーブと、上記パイプスリーブ内を摺動し弁体を有するプランジャとからなり、上記パイプスリーブは底付の深絞り成形されると共に、その底部に弁口が形成されていることを特徴とする。
【００１１】
また、本発明の電磁弁の好ましい態様は、上記パイプスリーブに段部を設け、この段部で止まる位置にフィルタを圧入してパイプスリーブにフィルターを固定したことを特徴とする。
さらに、本発明の電磁弁の他の構成を含めた態様としては、上記パイプスリーブの流入口にフィルターを係止して、フィルターをパイプスリーブに固定することを特徴とする。
【００１２】
このような構成とされた本発明に係る電磁弁においては、プランジャ管と本体とを底付の深絞りパイプスリーブにより一体に構成し、プランジャ管と本体とを別体としない構成とすることができるので、同軸度の精度を向上でき、プランジャの具備する弁体の片当りが生せず、信頼性や性能を向上させることができる。
【００１３】
さらに、プランジャ管と本体とを別体としない構成としたので、部品点数を削減でき、組立の際のプランジャ及び弁体のリフトのバラツキを低減でき、正確な流量を得ることができる。
さらにまた、パイプスリーブを底付けの深絞り一体パイプとしたので、フィルターの装着に際して、パイプスリーブにフィルターを確実に装着することができる。
【００１４】
【発明の実施の形態】
以下、本発明の電磁弁の一実施の形態を添付図面を参照しながら説明する。なお、前記従来例と同一機能を奏する同一部分には同一符号を付して説明する。
【００１５】
図１は、本実施の形態の電磁弁１０ａの縦断面図である。電磁弁１０ａは基本的にはコイル２１と、吸引子２４と、プランジャ３１と、バネ２５と、弁体２６と、ボビン２２と、ハウジング２７と、キャップ２８とを具備しており、コイル２１に通電して吸引子２４の方向にプランジャ３１を移動させるのであり、従来例とはプランジャ管と本体とが相違している。即ち、図１において、３０はパイプスリーブであり、底付の深絞り一体パイプにて成形されており、従来の電磁弁１０のプランジャ管２３と、本体１７を上記パイプスリーブ３０にて構成しているのである。このパイプスリーブ３０は、ボビン２２の内側に挿入されると共に、吸引子２４が嵌入固定され、パイプスリーブ３０内にはプランジャ３１が摺動可能に挿入されている。
【００１６】
而して、プランジャ３１は大径部３１Ｌと小径部３１Ｓとからなり、小径部３１Ｓはパイプスリーブ３０の底部３０Ｂ側に存在し、小径部３１Ｓの下端（先端）には弁体２６がカシメ固定され、弁体２６により開閉される弁口３２がパイプスリーブ３０の底部３０Ｂの中心部に形成されている。なお、弁口３２は図示しない可変容量圧縮機に組付けられた場合に低圧圧力導入口となる。図１では、弁体２６が弁口３２を閉じている状態を示している。また、パイプスリーブ３０には、図２にその一部の外観を示すように、段部３０Ｃが形成されており、この段部３０Ｃは小径部３１Ｓの上端付近に対応して設けられ、後述するようにフィルターをパイプスリーブに圧入する際の位置決めとなる。さらにパイプスリーブ３０には、小径部３１Ｓが対応して流入口３３が設けられ、この流入口３３は電磁弁１０ａが可変容量圧縮機（図示せず）に組付けられた場合に高圧圧力導入口となると共に、プランジャ３１の小径部３１Ｓは流量確保の作用を奏する。
【００１７】
このように、本実施の形態の電磁弁１０ａは、プランジャ管と本体とを深絞り一体パイプによるパイプスリーブを用いて一体に構成したので、本体とプランジャとの同軸度は同一となり弁体の片当りがなくなり、信頼性や性能は向上し、組立工程の短縮化が図れる。さらにプランジャ管と本体とを別体としない構成となるので、組立の際のプランジャや弁体のソフトのバラツキを低減でき、流量特性を正確にすることができる。
【００１８】
図３は、本発明の他の実施の形態の電磁弁１０ａの縦断面図であり、図１及び図２に示すパイプスリーブ３０に形成された段部３０Ｃを用いて、フィルター１００を電磁弁に装着した場合を示す。図３において、円筒状のフィルター１００は、パイプスリーブ３０の細径部３０ａに嵌合され、その段部３０Ｃを利用して位置決めされる。フィルター１００の上下部にはシール部材５０が配設され、組付対象の部材１５に形成される穴１５ｈに挿入され、流入通路１５ａから送られてくる流体を、フィルター１００を介してパイプスリーブ３０の流入口３３へ案内する。パイプスリーブ３０の弁口３２を出た流体は、流出通路１５ｂから外部へ送り出される。
【００１９】
図４乃至図６は参考例を示す。
フィルター１００は、両端部に配設される２個のリング部材１１０，１２０を２本の柱部材１３０で連結した構造を有し、内部に円筒状のフィルター要素１４０を装備し、プラスチック・樹脂等により一体に成形されたものである。
【００２０】
この２本の柱部材１３０の中央には、内側に向けて突出する突起１３５が設けてある。
フィルター１００をパイプスリーブ３０に取り付ける際には、この突起１３５をパイプスリーブ３０の流入口３３に嵌合させてパイプスリーブ３０に対するフィルター１００の位置決めが達成される。この構成によって、ストレート状のパイプスリーブ３０に対して、フィルター１００を所定の位置に取り付けることができる。
【００２１】
図７は本発明の他の実施の形態を示す要部の断面図である。
電磁弁１０ｃは、取付対象部材１５に挿入固定されるハウジング２７を有し、ハウジング２７内のパイプスリーブ３０が取付対象部材１５の開口部１５ｈ内に挿入される。開口部１５ｈには、流入通路１５ａと流出通路１５ｂが連通してある。
パイプスリーブ３０の下端部は、段付部３００を介して細径部３１０に絞られている。そして、このパイプスリーブ３０の段付部３００と細径部３１０の外周部にフィルター４００が嵌装され、シール部材５０によりパイプスリーブの軸方向のシールが達成される。
【００２２】
図８は、フィルター４００の詳細を示す図面である。
フィルター４００は、プラスチックでつくられる円筒状の本体４１０を有する。本体４１０の外周部は、中央にリング状の溝４１２を有する。本体４１０の内円周のうち、一方の端部は径寸法の大きな段付部４１４に形成され、他端部は小径穴４１６に形成される。本体の胴部は柱４２０，４２２により支持される開口部を有し、開口部を覆う網部材４３０が設けられる。
フィルター４００をパイプスリーブ３０に嵌装したときに、この段付部４１４がパイプスリーブ３０の段付部３００に当接し、パイプスリーブ３０の定位置にフィルター４００が固定される。
【００２３】
フィルター本体４１０の外周部にはリング溝４１２が設けてあるので、流入通路１５ａから送られてくる流体は、リング溝４１２を通ってフィルターの円周方向に案内され、網部材４３０を介してパイプスリーブ３０の流入口３３へ送られる。したがって、網部材４３０の全領域を利用することができ、目づまりが防止される。
プランジャ３１と共に弁体２６が上昇し、パイプスリーブ３０の弁口３２が開かれると、パイプスリーブ３０内の流体は流出通路１５ｂを通って外部へ送られる。
【００２４】
図９は、本発明の他の実施の形態を示す要部の断面図である。
電磁弁１０ｄは、取付対象部材１５に挿入固定されるハウジング２７を有し、ハウジング２７内のパイプスリーブ３０が取付対象部材１５の開口部１５ｈ内に挿入される。開口部１５ｈには、流入通路１５ａと流出通路１５ｂが連通してある。
パイプスリーブ３０の下端部は、第１の段付部３５０を介して第１の細径部３６０に絞られている。第１の細径部３６０は、さらに第２の段付部３７０を介して第２の細径部３８０に絞られる。そして、このパイプスリーブ３０の段付部３５０から第２の細径部３８０の外周部にフィルター５００が嵌装され、シール部材５０によりパイプスリーブの軸方向のシールが達成される。
【００２５】
図１０は、本発明の電磁弁のさらに他の実施の形態を示す縦断面図であり、図１０に示す電磁弁１０ａ´は図１に示す実施の形態とは、図１に示すキャップ２８と吸引子２４との構成が異なり、他の構成は図１の電磁弁の形態と同一であり、同一部分には同一の符号を付して説明を省略する。図１０において、キャップ２８’と吸引子２４’とが一体に構成され、キャップ２８’と吸引子２４’との間の間隙が存在しなくなり、磁気特性を向上させることができる。しかも、キャップ２８’の上端面は平坦面２８”に構成されており、その中心部に凹部２８ａが形成され、凹部２８ａには電磁弁１０ａ’が取付けられる相手装置、例えば可変容量圧縮機（図示せず）の取付部（突部）が固着される。
【００２６】
図１１は、電磁弁１０ａ’を矢印Ｋ方向から見た平面図であり、２８ｂは回り止めである。
なお、図１０及び図１１において２８ｃはコネクタ部分である。図１０に示す実施の形態によれば、磁気特性を向上した電磁弁を実現できると共に、小型化かつ部品点数をさらに低減した電磁弁を得ることができる。
【００２７】
図１２は、フィルター５００の詳細を示す図面である。
フィルター５００は、プラスチックでつくられる円筒状の本体５１０を有する。本体５１０の外周部は、中央にリング状の溝５１２を有する。本体５１０の内円周のうち、一方の端部はストレート状の内径部５１４に形成され、他端部は小径穴５１６に形成される。本体の胴部は柱５２０，５２２により支持される開口部を有し、開口部を覆う網部材５３０が設けられる。
フィルター５００をパイプスリーブ３０に嵌装したときに、この細径部５１６がパイプスリーブ３０の段付部３７０に当接し、パイプスリーブ３０の定位置にフィルター５００が固定される。
【００２８】
フィルター本体５１０の外周部にはリング溝５１２が設けてあるので、流入通路１５ａから送られてくる流体は、リング溝５１２を通ってフィルターの円周方向に案内され、網部材５３０を介してパイプスリーブ３０の流入口３３へ送られる。したがって、網部材５３０の全領域を利用することができ、目づまりが防止される。
プランジャ３１と共に弁体２６が上昇し、パイプスリーブ３０の弁口３２が開かれると、パイプスリーブ３０内の流体は流出通路１５ｂを通って外部へ送られる。
【００２９】
【発明の効果】
本発明の電磁弁は以上のように、プランジャが内装されるパイプスリーブを弁本体に兼用する構成としたので、構成が簡素化されて部品点数が削減されると共に、シール部材も省略することができる。
さらに本発明の電磁弁はキャップと吸引子を一体構成としたので、小型化を実現できる。
また、フィルターをパイプスリーブに設けた流入口に直接に嵌合する構成としたので、フィルターの取付位置の精度も向上する。
【図面の簡単な説明】
【図１】本発明の電磁弁の断面図。
【図２】本発明の電磁弁の要部の説明図。
【図３】本発明の電磁弁の取付構造を示す説明図。
【図４】  電磁弁の参考例を示す説明図。
【図５】フィルターの構造を示す斜視図。
【図６】フィルターの構造を示す断面図。
【図７】本発明の電磁弁の他の実施の形態を示す断面図。
【図８】フィルターの構造を示す説明図。
【図９】本発明の電磁弁の他の実施の形態を示す断面図。
【図１０】本発明のさらに他の実施の形態を示す断面図。
【図１１】図１０の平面図。
【図１２】フィルターの構造を示す説明図。
【図１３】従来の電磁弁の断面図。
【符号の説明】
１０，１０ａ  電磁弁
１５，１６  サイドプレート
２１  コイル
２４  吸引子
２５  バネ
２６  弁体
３０  パイプスリーブ
３１  プランジャ
３２  弁口
３３  流入口
１００  フィルター
１１０，１２０  リング部材
１３０  柱部材
１３５  突起
１４０  フィルター要素
【図１】
0004176918.tif 000002
【図２】
0004176918.tif 000003
【図３】
0004176918.tif 000004
【図４】
0004176918.tif 000005
【図５】
0004176918.tif 000006
【図６】
0004176918.tif 000007
【図７】
0004176918.tif 000008
【図８】
0004176918.tif 000009
【図９】
0004176918.tif 000010
【図１０】
0004176918.tif 000011
【図１１】
0004176918.tif 000012
【図１２】
0004176918.tif 000013
【図１３】
0004176918.tif 000014